(57)【要約】      （修正有）【課題】高密度記録用デスクのアドレスデコード処理をＡＴＩＰアドレスを有効利用して記録装置の信頼性を向上する．【解決手段】所定の記録密度の第１の記録領域ごとに付与される第１のアドレス情報を有している光ディスクに対して、前記第１の記録領域を論理的に区分した第２の記録領域ごとに付与される第２のアドレス情報を用いてデータの記録を行う場合に、前記第２の記録領域に対して前記第２のアドレス情報を併せて記録するとともに、前記所定の記録密度よりも記録密度を高めてデータの記録を行うことが可能な光ディスク装置において、前記光ディスクから読み出した前記第１のアドレス情報を検査する第１のアドレス情報検査手段と、前記第１のアドレス情報検査手段における検査結果に基づいて、前記読み出した第１のアドレス情報又は前記光ディスクから読み出した第２のアドレス情報の一方を用いてデータの記録又は再生を制御する制御手段と、を有する。【選択図】      図１
2004253039.tif 000002
【特許請求の範囲】
【請求項１】
所定の記録密度の第１の記録領域ごとに付与される第１のアドレス情報を有している光ディスクに対して、前記第１の記録領域を論理的に区分した第２の記録領域ごとに付与される第２のアドレス情報を用いてデータの記録を行う場合に、前記第２の記録領域に対して前記第２のアドレス情報を併せて記録するとともに、前記所定の記録密度よりも記録密度を高めてデータの記録を行うことが可能な光ディスク装置において、
前記光ディスクから読み出した前記第１のアドレス情報を検査する第１のアドレス情報検査手段と、
前記第１のアドレス情報検査手段における検査結果に基づいて、前記読み出した第１のアドレス情報又は前記光ディスクから読み出した第２のアドレス情報の一方を用いてデータの記録又は再生を制御する制御手段と、
を有することを特徴とする光ディスク装置。
【請求項２】
前記光ディスクは、
前記第１のアドレス情報及び前記第１のアドレス情報を検査するための第１のアドレス検査用情報をトラックのウォブリング情報に対応づけて有しており、
前記第１のアドレス情報検査手段は、
前記光ディスクから読み出した前記第１のアドレス情報を、前記光ディスクから読み出した前記第１のアドレス検査用情報を用いて検査することを特徴とする請求項１に記載の光ディスク装置。
【請求項３】
前記第２の記録領域に記録された第２のアドレス情報は、前記第２のアドレス情報に対応づけられたＩＤ情報であり、
前記光ディスク装置は、
前記光ディスクから読み出した前記ウォブリング情報に基づいて、前記第１のアドレス情報を生成する第１のアドレス生成手段と、
前記光ディスクから読み出した前記ＩＤ情報に対応する第２のアドレス情報を生成する第２のアドレス生成手段と、
前記第１のアドレス生成手段によって生成された第１のアドレス情報に対応する第２のアドレス情報を生成する第３のアドレス生成手段と、
前記第１のアドレス情報検査手段における検査結果に基づいて、前記第２のアドレス生成手段によって生成された前記第２のアドレス情報、又は、前記第３のアドレス生成手段によって生成された前記第２のアドレス情報の一方を選択する第１のアドレス選択手段と、
前記選択された第２のアドレス情報を用いてデータの記録又は再生を制御するアクセス制御手段と、
を有することを特徴とする請求項１又は２に記載の光ディスク装置。
【請求項４】
前記第１のアドレス選択手段は、
前記第２のアドレス生成手段によって生成された前記第２のアドレス情報と、前記第３のアドレス生成手段によって生成された前記第２のアドレス情報を比較する手段と、
前記第１のアドレス情報検査手段における検査結果が正常であり且つ前記比較の結果が一致の場合、前記第２のアドレス生成手段によって生成された前記第２のアドレス情報を選択し、
前記第１のアドレス情報検査手段における検査結果が正常であり且つ前記比較の結果が不一致の場合、前記第３のアドレス生成手段によって生成された前記第２のアドレス情報を選択する手段と、
を有することを特徴とする請求項３に記載の光ディスク装置。
【請求項５】
前記制御手段は、
前記第１のアドレス情報検査手段における検査結果が正常な場合、前記第２又は前記第３のアドレス生成手段において生成された前記第２のアドレス情報を記憶しておき、
トラック上の連続した前記第２の記録領域に対して所定順に記録又は再生を行う場合であり且つ前記第１のアドレス情報検査手段における検査結果が正常でない場合に、
前記記憶しておいた第２のアドレス情報に基づいて、今回の前記第２の記録領域への記録又は再生を制御するための第２のアドレス情報を生成することを特徴とする請求項３又は４に記載の光ディスク装置。
【請求項６】
所定の記録密度の第１の記録領域ごとに付与される第１のアドレス情報を有している光ディスクに対して、前記第１の記録領域を論理的に区分した第２の記録領域ごとに付与される第２のアドレス情報を用いてデータの記録を行う場合に、前記第２の記録領域に対して前記第２のアドレス情報を併せて記録するとともに、前記所定の記録密度よりも記録密度を高めてデータの記録を行うことが可能な光ディスク装置において、
前記光ディスクから読み出した第２のアドレス情報を検査する第２のアドレス情報検査手段と、
前記第２のアドレス情報検査手段における検査結果に基づいて、前記読み出した第１のアドレス情報又は前記光ディスクから読み出した第２のアドレス情報の一方を用いてデータの記録又は再生を制御する制御手段と、
を有することを特徴とする光ディスク装置。
【請求項７】
前記第２の記録領域に記録された第２のアドレス情報は、前記第２のアドレス情報に対応づけられたＩＤ情報であり、
前記第２の記録領域には前記ＩＤ情報を検査するための第２のアドレス検査用情報が記録されており、
前記第２のアドレス情報検査手段は、
前記光ディスクから読み出した前記ＩＤ情報を、前記光ディスクから読み出した前記第２のアドレス検査用情報を用いて検査することを特徴とする請求項６に記載の光ディスク装置。
【請求項８】
前記光ディスクは、
前記第１のアドレス情報をトラックのウォブリング情報に対応づけて有しており、
前記光ディスク装置は、
前記光ディスクから読み出した前記ウォブリング情報に基づいて、前記第１のアドレス情報を生成する第１のアドレス生成手段と、
前記光ディスクから読み出した前記ＩＤ情報に対応する第２のアドレス情報を生成する第２のアドレス生成手段と、
前記第２のアドレス生成手段によって生成された第２のアドレス情報に対応する第１のアドレス情報を生成する第４のアドレス生成手段と、
前記第２のアドレス情報検査手段における検査結果に基づいて、前記第１のアドレス生成手段によって生成された第１のアドレス情報、又は、前記第４のアドレス生成手段によって生成された第１のアドレス情報の一方を選択する第２のアドレス選択手段と、
前記選択された第１のアドレス情報を用いてデータの記録又は再生を制御するアクセス制御手段と、
を有することを特徴とする請求項６又は７に記載の光ディスク装置。
【請求項９】
前記第２のアドレス選択手段は、
前記第１のアドレス生成手段によって生成された前記第１のアドレス情報と、前記第４のアドレス生成手段によって生成された前記第１のアドレス情報を比較する手段と、
前記第２のアドレス情報検査手段における検査結果が正常であり且つ前記比較の結果が一致である場合には、前記第１のアドレス生成手段によって生成された前記第１のアドレス情報を選択し、
前記第２のアドレス情報検査手段における検査結果が正常であり且つ前記比較の結果が不一致である場合には、前記第４のアドレス生成手段によって生成された前記第１のアドレス情報を選択する手段と、
を有することを特徴とする請求項８に記載の光ディスク装置。
【請求項１０】
前記制御手段は、
前記第２のアドレス情報検査手段における検査結果が正常な場合、前記第１又は前記第４のアドレス生成手段において生成された前記第１のアドレス情報を記憶しておき、
トラック上の連続した前記第２の記録領域に対して所定順に記録又は再生を行う場合であり且つ前記第２のアドレス情報検査手段における検査結果が正常でない場合に、
前記記憶しておいた第１のアドレス情報に基づいて、今回の前記第２の記録領域への記録又は再生を制御するための第１のアドレス情報を生成することを特徴とする請求項８又は９に記載の光ディスク装置。
【発明の詳細な説明】
【０００１】
【発明の属する技術分野】
本発明は、光ディスクへの記録又は再生を行う光ディスク装置に関する。
【０００２】
【従来の技術】
レーザービームを利用して情報の記録・再生可能な光ディスクの規格の一つとして、データ追記型（Ｗｒｉｔｅ  Ｏｎｃｅ）のＣＤ−Ｒや、書き換え可能型（ＲｅＷｒｉｔａｂｌｅ）のＣＤ−ＲＷなどのＣＤ（Ｃｏｍｐａｃｔ  Ｄｉｓｋ）規格がある。近年、ＣＤ−Ｒ及びＣＤ−ＲＷディスクについては、低価格化と併せて普及率が拡大しており、広く一般化されている。
【０００３】
記録・再生が可能なＣＤ規格の物理フォーマットに準拠した光ディスク（ＣＤ規格媒体）では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  ｔｉｍｅ  Ｉｎ  Ｐｒｅｇｒｏｏｖｅ）アドレスを取得できる。また、このＡＴＩＰアドレスは、ＣＤ規格の論理フォーマットを用いてデータの記録・再生を行う光ディスク装置において、当該ＣＤ規格媒体上でのデータの記録・再生位置を管理するための情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクの標準の記録容量ではこうしたニーズに対応できない。
このため、ＣＤ−Ｒ及びＣＤ−ＲＷ等といった既存のＣＤ規格媒体から取得したＡＴＩＰアドレスを高密度記録用アドレスにデコード（変換）し、その高密度記録用アドレスを利用して高密度記録を実現する仕組みが提案されている（例えば、以下に示す特許文献１参照）。なお、高密度記録用アドレスとは、隣り合う二つのＡＴＩＰアドレス区間に対応する記録領域を所定数（記録密度の倍率）にて論理的に区分した場合に、その区分領域ごとに付与されるアドレスのことを示す。
【０００５】
前述した仕組みを備える光ディスク装置が、高密度記録用アドレスを用いてＣＤ規格媒体への高密度記録を行う場合、前述の区分領域に対して、高密度記録用アドレスに対応づけられたＩＤ（Ｉｄｅｎｔｉｆｉｃａｔｉｏｎ  Ｄａｔａ）情報を実データと併せて記録する。この目的は、当該光ディスク装置が、前述のＩＤ情報をＣＤ規格媒体から光学的に読み出して前述の区分領域を識別するためである。また、当該光ディスク装置は、ＣＤ規格媒体から読み出したＩＤ情報をデコードすることによって、高密度記録用アドレスを取得する。
【０００６】
【特許文献１】
特開２００２−５６６１７号公報
【０００７】
【発明が解決しようとする課題】
ところで、ＣＤ規格媒体上にある埃・塵や、傷・ディスクの偏芯等といったＣＤ規格媒体自体が有する欠陥によって、ＣＤ規格媒体から光学的な情報の読み出しが正常に行われない場合がある。この場合、ＣＤ規格媒体から読み出されたＩＤ情報が不正な情報となり、高密度記録用アドレスへのデコード処理が正常に行われないことになる。その結果として、ＣＤ規格媒体に対してアクセス誤動作を生じてしまい、光ディスク装置としての信頼性が低下するという課題があった。
【０００８】
また、前述した仕組みを備える従来の光ディスク装置では、ＣＤ規格媒体から読み出されたＡＴＩＰアドレスを、主として高密度記録用アドレスをデコードする目的で利用しているが、この目的以外にもＡＴＩＰアドレスの有効利用を図ることが要請されている。
そこで、本発明は、前述した課題を解決するためになされたものであり、光ディスク装置を提供することを目的とする。
【０００９】
【課題を解決するための手段】
前記課題を解決するための主たる本発明は、所定の記録密度の第１の記録領域ごとに付与される第１のアドレス情報を有している光ディスクに対して、前記第１の記録領域を論理的に区分した第２の記録領域ごとに付与される第２のアドレス情報を用いてデータの記録を行う場合に、前記第２の記録領域に対して前記第２のアドレス情報を併せて記録するとともに、前記所定の記録密度よりも記録密度を高めてデータの記録を行うことが可能な光ディスク装置において、前記光ディスクから読み出した前記第１のアドレス情報を検査する第１のアドレス情報検査手段と、前記第１のアドレス情報検査手段における検査結果に基づいて、前記読み出した第１のアドレス情報又は前記光ディスクから読み出した第２のアドレス情報の一方を用いてデータの記録又は再生を制御する制御手段と、を有する。
【００１０】
なお、前述の『第１のアドレス情報』は、例えば、後述の「ＡＴＩＰアドレス」のことであり、前述の『第２のアドレス情報』は、例えば、後述の「ＰＳＮアドレス」若しくは「ＩＤ情報」のことである。
また、前述した『第１の記録領域を論理的に区分した第２の記録領域』とは、本発明に係る光ディスク装置が、高密度記録モードにて採用する論理フォーマットに従って、後述の１ＡＴＩＰ区間に相当する第１の記録領域を所定数（記録密度の倍率）に区分した第２の記録領域のことを示す。
また、前述の『第１のアドレス情報検査手段』は、例えば、後述の「ＡＴＩＰデコーダのＣＲＣチェック回路」のことであり、前述の『制御手段』は、例えば、後述の「システム制御マイコン」のことである。
【００１１】
このようにして、光ディスク装置は、光ディスクに対して第２のアドレス情報を用いた記録又は再生において、第１のアドレス情報検査手段における第１のアドレス情報を正常にデコードしたか否かを判別するための検査結果に基づいて、第１のアドレス情報を正常にデコードしなかった場合には、この不正な第１のアドレス情報をもとに変換した第２のアドレス情報を用いるのではなく、光ディスクから読み出した第２のアドレス情報を用いることが可能となる。
このことは、光ディスク装置は、正常にデコードしなかった第１のアドレス情報を用いて光ディスクへのアクセスを行う機会が減少することになり、アクセス誤動作が抑制され、光ディスク装置としての信頼性が向上する。
【００１２】
本発明に係る第２の態様としては、前記第１のアドレス情報及び前記第１のアドレス情報を検査するための第１のアドレス検査用情報をトラックのウォブリング情報に対応づけて有しており、前記第１のアドレス情報検査手段は、前記光ディスクから読み出した前記第１のアドレス情報を、前記光ディスクから読み出した前記第１のアドレス検査用情報を用いて検査する。
なお、前述の『第１のアドレス検査用情報』とは、例えば、後述の「プリグルーブのウォブリング情報に対応づけられたＣＲＣデータ」のことである。
このことは、第１のアドレス情報検査手段が、光ディスクの所定の物理フォーマットに従って光ディスク自体が有する第１のアドレス検査用情報を、第１のアドレス情報と併せて読み出す。そして、この第１のアドレス検査用情報を用いて第１のアドレス情報を検査することで、光ディスクからの光学的な情報の読み出しが正常に行われたか否かを判別することが可能となる。
【００１３】
本発明に係る第３の態様としては、前記第２の記録領域に記録された第２のアドレス情報は、前記第２のアドレス情報に対応づけられたＩＤ情報であり、前記光ディスク装置は、前記光ディスクから読み出した前記ウォブリング情報に基づいて、前記第１のアドレス情報を生成する第１のアドレス生成手段と、前記光ディスクから読み出した前記ＩＤ情報に対応する第２のアドレス情報を生成する第２のアドレス生成手段と、前記第１のアドレス生成手段によって生成された第１のアドレス情報に対応する第２のアドレス情報を生成する第３のアドレス生成手段と、前記第１のアドレス情報検査手段における検査結果に基づいて、前記第２のアドレス生成手段によって生成された前記第２のアドレス情報、又は、前記第３のアドレス生成手段によって生成された前記第２のアドレス情報の一方を選択する第１のアドレス選択手段と、前記選択された第２のアドレス情報を用いてデータの記録又は再生を制御するアクセス制御手段と、を有する。
【００１４】
好ましくは、本発明に係る第４の態様として、前記第１のアドレス選択手段は、前記第２のアドレス生成手段によって生成された前記第２のアドレス情報と、前記第３のアドレス生成手段によって生成された前記第２のアドレス情報を比較する手段と、前記第１のアドレス情報検査手段における検査結果が正常であり且つ前記比較の結果が一致の場合、前記第２のアドレス生成手段によって生成された前記第２のアドレス情報を選択し、前記第１のアドレス情報検査手段における検査結果が正常であり且つ前記比較の結果が不一致の場合、前記第３のアドレス生成手段によって生成された前記第２のアドレス情報を選択する手段と、を有する。
【００１５】
なお、前述の『第１のアドレス生成手段』とは、例えば、後述の「ＡＴＩＰデコーダ」のことであり、前述の『第２のアドレス生成手段』とは、例えば、後述の「ＰＳＮデコーダ」のことである。また、前述の『第３のアドレス生成手段』とは、例えば、後述の「ＡＴＩＰ−ＰＳＮ変換部」のことであり、前述の『第１のアドレス選択手段』とは、例えば、後述の「ＰＳＮ補正部」のことであり、前述の『アクセス制御手段』とは、例えば、後述の「アクセス制御部」のことである。
【００１６】
このようにして、光ディスク装置は、光ディスクに対して第２のアドレス情報を用いた記録又は再生を行う場合に、第１のアドレス情報検査手段における第１のアドレス情報を正常にデコードしたか否かを判別するための検査結果に基づいて、第２のアドレス生成手段によって生成された第２のアドレス情報、又は、第３のアドレス生成手段によって生成された第２のアドレス情報の一方を用いることが可能となる。このことによって、光ディスク装置としての信頼性が向上する。
【００１７】
本発明に係る第５の態様としては、前記制御手段は、前記第１のアドレス情報検査手段における検査結果が正常な場合、前記第２又は前記第３のアドレス生成手段において生成された前記第２のアドレス情報を記憶しておき、トラック上の連続した前記第２の記録領域に対して所定順に記録又は再生を行う場合であり且つ前記第１のアドレス情報検査手段における検査結果が正常でない場合に、前記記憶しておいた第２のアドレス情報に基づいて、今回の前記第２の記録領域への記録又は再生を制御するための第２のアドレス情報を生成する。
【００１８】
なお、前述した『トラック上の連続した前記第２の記録領域に対して所定順に記録又は再生を行う場合』とは、例えば、後述の「トレース状態」のことを示す。
【００１９】
すなわち、この場合において、光ディスク装置は、前回の第２の記録領域への記録又は再生用として用いられた第２のアドレス情報の有効利用が図られ、光ディスクへのアクセスを一時停止する等といった、第１のアドレス情報が正常にデコードしなかった場合の処理を実行する必要がなくなる。
【００２０】
本発明に係る第６の態様としては、所定の記録密度の第１の記録領域ごとに付与される第１のアドレス情報を有している光ディスクに対して、前記第１の記録領域を論理的に区分した第２の記録領域ごとに付与される第２のアドレス情報を用いてデータの記録を行う場合に、前記第２の記録領域に対して前記第２のアドレス情報を併せて記録するとともに、前記所定の記録密度よりも記録密度を高めてデータの記録を行うことが可能な光ディスク装置において、前記光ディスクから読み出した第２のアドレス情報を検査する第２のアドレス情報検査手段と、前記第２のアドレス情報検査手段における検査結果に基づいて、前記読み出した第１のアドレス情報又は前記光ディスクから読み出した第２のアドレス情報の一方を用いてデータの記録又は再生を制御する制御手段と、を有する。
【００２１】
なお、前述の『第２のアドレス情報検査手段』は、例えば、後述の「ＰＳＮデコーダ」に含まれるパリティチェック回路のことである。
【００２２】
このようにして、光ディスク装置は、光ディスクに対して第１のアドレス情報を用いた記録又は再生において、第２のアドレス情報検査手段における第２のアドレス情報を正常にデコードしたか否かを判別するための検査結果に基づいて、第２のアドレス情報を正常にデコードしなかった場合には、光ディスクから読み出した第１のアドレス情報を用いることが可能となる。
【００２３】
このことは、光ディスク装置は、正常にデコードしなかった第２のアドレス情報を用いて光ディスクへのアクセスを行う機会が減少することになり、アクセス誤動作が抑制され、光ディスク装置としての信頼性が向上する。
【００２４】
本発明に係る第７の態様としては、前記第２の記録領域に記録された第２のアドレス情報は、前記第２のアドレス情報に対応づけられたＩＤ情報であり、前記第２の記録領域には前記ＩＤ情報を検査するための第２のアドレス検査用情報が記録されており、前記第２のアドレス情報検査手段は、前記光ディスクから読み出した前記ＩＤ情報を、前記光ディスクから読み出した前記第２のアドレス検査用情報を用いて検査する。
【００２５】
なお、前述の『第２のアドレス検査用情報』とは、例えば、後述の「ＩＤ情報をパリティチェックするためのパリティビット」のことである。
【００２６】
このことは、第２のアドレス情報検査手段が、光ディスク装置が採用する高密度記録モード時での論理フォーマットに従って光ディスクの第２の記録領域に記録してある第２のアドレス検査用情報を、第２のアドレス情報と併せて読み出す。そして、この第２のアドレス検査用情報を用いて第２のアドレス情報を検査することで、光ディスクからの光学的な情報の読み出しが正常に行われたか否かを判別することが可能となる。
【００２７】
本発明に係る第８の態様としては、前記光ディスクは、前記第１のアドレス情報をトラックのウォブリング情報に対応づけて有しており、前記光ディスク装置は、前記光ディスクから読み出した前記ウォブリング情報に基づいて、前記第１のアドレス情報を生成する第１のアドレス生成手段と、前記光ディスクから読み出した前記ＩＤ情報に対応する第２のアドレス情報を生成する第２のアドレス生成手段と、前記第２のアドレス生成手段によって生成された第２のアドレス情報に対応する第１のアドレス情報を生成する第４のアドレス生成手段と、前記第２のアドレス情報検査手段における検査結果に基づいて、前記第１のアドレス生成手段によって生成された第１のアドレス情報、又は、前記第４のアドレス生成手段によって生成された第１のアドレス情報の一方を選択する第２のアドレス選択手段と、前記選択された第１のアドレス情報を用いてデータの記録又は再生を制御するアクセス制御手段と、を有する。
【００２８】
好ましくは、本発明に係る第９の態様として、前記第２のアドレス選択手段は、前記第１のアドレス生成手段によって生成された前記第１のアドレス情報と、前記第４のアドレス生成手段によって生成された前記第１のアドレス情報を比較する手段と、前記第２のアドレス情報検査手段における検査結果が正常であり且つ前記比較の結果が一致である場合には、前記第１のアドレス生成手段によって生成された前記第１のアドレス情報を選択し、前記第２のアドレス情報検査手段における検査結果が正常であり且つ前記比較の結果が不一致である場合には、前記第４のアドレス生成手段によって生成された前記第１のアドレス情報を選択する手段と、を有する。
【００２９】
なお、前述の『第４のアドレス生成手段』とは、例えば、後述の「ＰＳＮ−ＡＴＩＰ変換部」のことであり、前述の『第２のアドレス選択手段』とは、例えば、後述の「ＡＴＩＰ補正部」のことである。
【００３０】
このようにして、光ディスク装置は、光ディスクに対して第１のアドレス情報を用いた記録又は再生を行う場合に、第２のアドレス情報検査手段における第２のアドレス情報を正常にデコードしたか否かを判別するための検査結果に基づいて、第１のアドレス生成手段によって生成された第１のアドレス情報、又は、第４のアドレス生成手段によって生成された第１のアドレス情報の一方を用いることが可能となる。このことによって、光ディスク装置としての信頼性が向上する。
【００３１】
本発明に係る第１０の態様としては、前記制御手段は、前記第２のアドレス情報検査手段における検査結果が正常な場合、前記第１又は前記第４のアドレス生成手段において生成された前記第１のアドレス情報を記憶しておき、トラック上の連続した前記第２の記録領域に対して所定順に記録又は再生を行う場合であり且つ前記第２のアドレス情報検査手段における検査結果が正常でない場合に、前記記憶しておいた第１のアドレス情報に基づいて、今回の前記第２の記録領域への記録又は再生を制御するための第１のアドレス情報を生成する。
【００３２】
光ディスク装置は、前述した『トラック上の連続した前記第２の記録領域に対して所定順に記録又は再生を行う場合』において、前回の第２の記録領域への記録又は再生用として用いられた第１のアドレス情報の有効利用が図られ、光ディスクへのアクセスを一時停止する等といった、第２のアドレス情報が正常にデコードしなかった場合の処理を実行する必要がなくなる。
【００３３】
本発明の他の特徴については、添付図面及び本明細書の記載により明らかにする。
【００３４】
【発明の実施の形態】
＝＝＝実施例＝＝＝
以下、本発明の実施の形態を図面に基づいて具体的に説明する。
【００３５】
＜システム構成＞
まず、本発明の一実施形態である光ディスク装置１００を含めたシステムの概略構成を、図１を用いて説明する。ここで、図１に示す光ディスク装置１００は、ＣＤ−Ｒ及びＣＤ−ＲＷなどの既存のＣＤ規格の物理フォーマットに準拠した光ディスク（ＣＤ規格媒体）２００に対して、高密度記録用アドレスを利用した記録・再生が可能である。なお、物理フォーマットとは、光ディスク２００の寸法や記録・再生方法、セクタ構成などを規定したものである。
【００３６】
なお、ユーザーの利便性を鑑みて、ＣＤ規格媒体に対して、当該ＣＤ規格の論理フォーマットに準拠した標準記録モードによる記録・再生をサポートするのが好適である。さらに、当該光ディスク装置１００は、ＤＶＤ−ＲＯＭ、ＤＶＤ−Ｒ及びＤＶＤ−ＲＷ／＋ＲＷなどのＤＶＤ（Ｄｉｇｉｔａｌ  Ｖｅｒｓａｔｉｌｅ  Ｄｉｓｋ）規格の物理フォーマットに準拠した光ディスク２００（ＤＶＤ規格媒体）に関して、当該ＤＶＤ規格の論理フォーマットに準拠した標準記録モードによる記録・再生をサポートしてもよい。なお、論理フォーマットとは、ファイルやディレクトリ、ボリュームといったデータ構造の仕組みを規定したものである。
【００３７】
以下では、説明の都合上、光ディスク２００は、ＣＤ規格媒体とする。このＣＤ規格媒体では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  Ｔｉｍｅ  Ｉｎ  Ｐｒｅｇｒｏｏｖｅ）アドレスを取得できる。
また、光ディスク装置１００は、ＣＤ規格媒体への記録・再生処理に採用する論理フォーマットとして、高密度記録用アドレス等による高密度記録モードのみをサポートするものとする。
【００３８】
同図に示すとおり、光ディスク装置１００は、光学ヘッド１、フロントエンド処理部２、光学ヘッドサーボ回路３、ＷＢＬ検出部４、ＡＴＩＰデコーダ（『第１のアドレス生成手段』）５、ＰＳＮデコーダ（『第２のアドレス生成手段』）６、ＰＬＬ７、高密度記録モード用デコーダ８、高密度記録モード用エンコーダ９、インタフェース部１０、ＲＡＭ１１、システム制御マイコン１２、レーザー出力制御回路１３、レーザー駆動回路１４、スピンドルモーター１５、モーター駆動回路１６、モーター制御回路１７、を有する。
【００３９】
光学ヘッド１は、対物レンズ（不図示）と、この対物レンズを介して光ディスク２００に対してレーザービームＢを出射するレーザー素子１ａと、光ディスク２００からの反射光を受光する受光素子（不図示）などが組み込まれている。また、光学ヘッド１には、光学ヘッド１を記録・再生対象のトラックに移動させるためのスライド機構、光ディスク２００に出射したレーザービームＢを記録・再生対象のトラックに追従させる制御（トラッキング制御）を行うためのトラッキング機構、光ディスク２００に出射したレーザービームＢの焦点ずれを補正する制御（フォーカス制御）を行うためのフォーカス機構、などが組み込まれている（いずれも不図示）。
【００４０】
フロントエンド処理部２は、マトリクス演算回路や増幅回路や波形整形回路（イコライザ）などで構成されるＲＦアンプ、３ビーム法、プッシュプル法やＤＰＤ（Ｄｉｆｆｅｒｅｎｔｉａｌ  Ｐｈａｓｅ  Ｄｅｔｅｃｔｉｏｎ）法などに基づいたトラッキング誤差信号生成回路、非点収差法やフーコー法などに基づいたフォーカス誤差信号生成回路などを備える（いずれも不図示）。
【００４１】
ＲＦアンプは、光学ヘッド１の受光素子（不図示）にて受光光量に応じて生成された電気信号に基づいて、記録・再生対象のトラック上にあるピットの有無を判別するためのＲＦ信号（ラジオ周波信号）を生成する。なお、このＲＦ信号は２値化されている。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報も含む。
【００４２】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００４３】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００４４】
ＷＢＬ検出部４は、ＢＰＦ（Ｂａｎｄ  Ｐａｓｓ  Ｆｉｌｔｅｒ）回路やコンパレータ等によって構成される。この構成において、ＢＰＦ回路にフロントエンド処理部２にて生成されたＲＦ信号が入力されて、そのＲＦ信号からウォブリング周波数成分（中心周波数２２．０５ｋＨｚ）が抽出される。このウォブリング周波数成分と基準となる電圧とをコンパレータにて比較することで、２値化データとしてのＷＢＬ（Ｗｏｂｂｌｅ）信号をＡＴＩＰデコーダ５やモーター制御回路１７に送信する。
【００４５】
ＡＴＩＰデコーダ（『第１のアドレス生成手段』）５は、デコーダ５ａと、ＣＲＣ（Ｃｙｃｌｉｃ  Ｒｅｄｕｎｄａｎｃｙ  Ｃｏｄｅ）チェック回路（『第１のアドレス情報検査手段』）５ｂなどによって構成される。
【００４６】
デコーダ５ａは、ＷＢＬ検出部４にて検出された１ＡＴＩＰ区間（後述）あたりのＷＢＬ信号によって構成されるウォブリング情報（以下、１ＡＴＩＰ区間あたりのウォブリング情報と称する。）に基づいて、ＡＴＩＰアドレス（以下、第１のＡＴＩＰアドレスと称する。）をデコードする。
【００４７】
ここで、１ＡＴＩＰ区間あたりのウォブリング情報としては、同期検出用のパターン、当該ウォブリング情報が格納されている記録領域を識別するための識別子、第１のＡＴＩＰアドレス等を含めた実際のウォブリング情報、当該ウォブリング情報のビット誤り等を検出するためのＣＲＣデータ（『第１のアドレス検査用情報』）などを含んでいる（図２（Ａ）参照）。
【００４８】
ＣＲＣチェック回路５ｂは、１ＡＴＩＰ区間あたりのウォブリング情報から第１のＡＴＩＰアドレスが正常にデコードしたか否かを判定するために、前述のＣＲＣデータに基づいてＣＲＣチェックを行う。このＣＲＣチェック結果の情報は、１ＡＴＩＰ区間あたりのウォブリング情報から第１のＡＴＩＰアドレスがデコードされる毎に、システム制御マイコン１２に送信される。
【００４９】
なお、第１のＡＴＩＰアドレスのデコード状態を判別するための誤り検出又は誤り訂正の方式としては、ＣＲＣチェック方式に限定されないことは言うまでもなく、例えば、水平・垂直パリティビット（『第１のアドレス検査用情報』）を用いたパリティチェック方式やＥＣＣ（Ｅｒｒｏｒ  Ｃｏｒｒｅｃｔｉｎｇ  Ｃｏｄｅ；『第１のアドレス検査用情報』）を用いたＥＣＣチェック方式を採用してもよい。
【００５０】
ＰＳＮデコーダ（『第２のアドレス生成手段』及び『第２のアドレス情報検査手段』）６は、光ディスク２００が未記録状態である場合と、高密度記録用アドレスとしてのＰＳＮ（Ｐｈｙｓｉｃａｌ  Ｓｅｃｔｏｒ  Ｎｕｍｂｅｒ）アドレスを用いて高密度記録された状態にある場合とでは、処理内容が異なる。
【００５１】
まず、光ディスク２００が未記録状態である場合の処理を説明する。この場合、ＰＳＮデコーダ６は、ＡＴＩＰデコーダ５にてデコードした第１のＡＴＩＰアドレスを受信すると、この受信した第１のＡＴＩＰアドレスに基づいて、高密度記録用アドレスとしてのＰＳＮアドレス（以下、第１のＰＳＮアドレスと称する。）を復調（デコード）する。
【００５２】
つぎに、光ディスク２００が、高密度記録用アドレスとしてのＰＳＮアドレスを用いて、高密度記録された状態にある場合の処理を説明する。この場合、ＰＳＮアドレスにて論理的に区分した記録領域（区分領域）では、ＰＳＮアドレスに対応づけられたＩＤ（Ｉｄｅｎｔｉｆｉｃａｔｉｏｎ  Ｄａｔａ）情報が実データと併せて記録される（図２（Ｂ）参照）。このＩＤ情報は、光ディスク装置１００が、前述の区分領域を識別するための情報となる。また、前述の区分領域には、ＩＤ情報を含めたデータのビット誤り等を検査するためのパリティビット（『第２のアドレス検査用情報』）も併せて記録される（図２（Ｂ）参照）。
【００５３】
なお、前述の区分領域には、ＰＳＮアドレス自体を記録してもよい。また、光ディスク装置１００は、前述のパリティビットとして、通常、水平・垂直パリティビットを採用するが、その他の誤り検出・訂正方式で用いられるＣＲＣデータやＥＣＣなどを採用してもよい。
【００５４】
すなわち、ＰＳＮデコーダ６は、フロントエンド処理部２において生成されたＲＦ信号に含まれるＩＤ情報を取得し、この取得したＩＤ情報に基づいて第１のＰＳＮアドレスをデコードする。また、そのデコードの際には、ＩＤ情報と併せて前述のパリティビットも取得し、この取得したパリティビットに基づいてＩＤ情報及びデータのパリティチェックを行う。このパリティチェック結果の情報は、ＩＤ情報から第１のＰＳＮアドレスがデコードされる毎に、システム制御マイコン１２に送信される。
【００５５】
ＰＬＬ回路７は、位相比較器、チャージポンプ、ＬＰＦ、ＶＣＯ、分周回路などを備える。この構成において、ＰＬＬ回路７は、ＷＢＬ検出部４から受信したＷＢＬ信号に基づいて、光ディスク２００の規格に応じたデコード処理にて用いられるタイミング信号としてのクロック信号を生成する。
【００５６】
高密度記録モード用デコーダ８は、前述の高密度記録モード時において、光ディスク２００への再生処理に採用する論理フォーマットに対応したデコード処理を行う。なお、本発明では、ＤＶＤ規格にて規定された論理フォーマットに対応したデコード処理を採用する。ＤＶＤ規格では、変調コードとしてＥＦＭ−ｐｌｕｓを、また誤り訂正符号としてＲＳ（Ｒｅｅｄ  Ｓｏｌｏｍｏｎ）Ｐｒｏｄｕｃｔ−Ｃｏｄｅを採用している。
【００５７】
そこで、高密度記録モード用デコーダ８は、ＰＬＬ回路７にて生成されたクロック信号及びフロントエンド処理部２にて検出されたＲＦ信号（ＲＦ信号の入力ラインは不図示）に基づいて、これらの変調コード及び誤り訂正符号に基づいたデコード処理を行うものとする。
【００５８】
高密度記録モード用エンコーダ９は、パソコン等の情報処理装置（不図示）からインタフェース部１４を介して入力される記録データに関して、前述の高密度記録モードにて光ディスク２００への記録処理に採用する論理フォーマットに対応したエンコード処理を行う。なお、本発明では、高密度記録モード用デコーダ８との関連により、ＤＶＤ規格にて規定された論理フォーマットに対応したエンコード処理を採用する。このエンコード処理としては、記録・再生時の誤り訂正単位であるＥＣＣブロックを構成するための処理や、ＥＦＭ−ｐｌｕｓ変調処理、スクランブル処理などが該当し、これらの処理が施された後の記録用変調信号をレーザー出力制御回路１３に送信する。
【００５９】
インタフェース部１０は、光ディスク装置１００とパソコン等の情報処理装置（不図示）などとの間における記録・再生データの送受信を制御する。
ＲＡＭ１１は、当該情報処理装置（不図示）からインタフェース部１０を介して再生要求を受信した場合に、高密度記録モード用デコーダ８においてデコード処理中の中間データやデコード処理後の再生データを一時記憶する。この一時記憶された再生データは、インタフェース部１０を介して当該情報処理装置（不図示）に送信される。
また、ＲＡＭ１１は、当該情報処理装置（不図示）からインタフェース部１０を介して記録要求の対象となる記録データが入力された場合には、その記録データを一時記憶する。この一時記憶された記録データは、高密度記録モード用エンコーダ９におけるエンコード処理の際にアクセスされることになる。
【００６０】
システム制御マイコン１２は、光ディスク２００の記録及び再生に係る光ディスク装置１００全般のシステム制御を司る。なお、本発明では、システム制御マイコン１２は、特に、ＡＴＩＰ−ＰＳＮ変換部（『第３のアドレス生成手段』）１２ａ、ＰＳＮ補正部（『第１のアドレス選択手段』）１２ｂ、ＰＳＮ−ＡＴＩＰ変換部（『第４のアドレス生成手段』）１２ｃ、ＡＴＩＰ補正部（『第２のアドレス選択手段』）１２ｄ、アクセス制御部（『アクセス制御手段』）１２ｅを有する。
【００６１】
ＡＴＩＰ−ＰＳＮ変換部１２ａは、ＡＴＩＰデコーダ５にてデコードした第１のＡＴＩＰアドレス（『第１のアドレス情報』）を、後述のＡＴＩＰ−ＰＳＮ変換方法に基づいてＰＳＮアドレス（以下、第２のＰＳＮアドレスと称する。『第２のアドレス情報』）に変換する。ＰＳＮ補正部１２ｂは、ＣＲＣチェック回路５ｂによるＣＲＣチェック結果（『第１のアドレス検査用情報』）に基づいて、ＰＳＮデコーダ６にてデコードした第１のＰＳＮアドレスと、ＡＴＩＰ−ＰＳＮ変換部１２ａにて変換された第２のＰＳＮアドレスの一方を選択する。
【００６２】
ＰＳＮ−ＡＴＩＰ変換部１２ｃは、ＰＳＮデコーダ６にてデコードした第１のＰＳＮアドレス（『第２のアドレス情報』）を後述のＰＳＮ−ＡＴＩＰ変換方法に基づいてＡＴＩＰアドレス（以下、第２のＡＴＩＰアドレスと称する。『第１のアドレス情報』）に変換する。ＡＴＩＰ補正部１２ｄは、ＰＳＮデコーダ６におけるパリティチェック結果の情報に基づいて、ＡＴＩＰデコーダ５にてデコードした第１のＡＴＩＰアドレスと、ＰＳＮ−ＡＴＩＰ変換部１２ｃにて変換された第２のＡＴＩＰアドレスの一方を選択する。
【００６３】
アクセス制御部１２ｅは、ＰＳＮ補正部１２ｂにて選択されたＰＳＮアドレス又はＡＴＩＰ補正部１２ｄにて選択されたＡＴＩＰアドレスの一方を用いて、光ディスク２００の記録・再生対象のトラックへのアクセスを制御する。
【００６４】
具体的には、光ディスク装置１００は、シーク動作などといった通常のアクセス制御において、レーザービームＢが照射されている現在位置のトラックから読み出された情報をもとに、ＡＴＩＰアドレス又はＰＳＮアドレスをデコードする。そして、このデコードしたＡＴＩＰアドレス又はＰＳＮアドレスに基づいて、記録・再生対象のトラック位置を示すＡＴＩＰアドレス又はＰＳＮアドレスへの更新を行う。
なお、この更新されたＡＴＩＰアドレス又はＰＳＮアドレスは、光学ヘッドサーボ回路３において、光学ヘッド１が備えるスライド機構を記録・再生対象のトラックに移動させるための制御に用いられる。
【００６５】
レーザー出力制御回路１３は、高密度記録モード用エンコーダ１３から受信した記録用変調信号に基づいて、レーザー素子１ａをレーザー発光駆動するためのパルス信号を生成する。このパルス信号は、レーザー駆動回路１４に送信される。なお、レーザー出力制御回路１３は、システム制御マイコン１２による制御下で、光ディスク２００の記録層の特性やレーザービームＢのスポット形状などを判別して、レーザー素子１ａから出射されるレーザービームＢの最適出力レベルを設定するための処理も行う。
【００６６】
レーザー駆動回路１４は、レーザー出力制御回路１３から受信したパルス信号に基づいて、レーザー素子１ａを記録時においてレーザー発光駆動する。これによって、レーザー素子１ａからレーザービームＢが出射され、高密度記録モード用エンコーダ９出力の記録用変調信号に応じたピットが、光ディスクのトラックに形成される。また、再生時では、フロントエンド処理部２の内部又は外部に備える不図示のＡＰＣ（Ａｕｔｏｍａｔｉｃ  Ｐｏｗｅｒ  Ｃｏｎｔｒｏｌ）回路の制御下で、レーザー素子１ａをレーザー発光駆動する。なお、光学ヘッド１には、レーザー素子１ａから出射されるレーザービームＢのパワーを検出するための検出器（不図示）が備わっており、ＡＰＣ回路は、この検出器にて検出されたレーザービームＢのパワーを監視しつつ、レーザー素子１ａから出射されるレーザービームＢのパワーが一定となるための制御を行う。
【００６７】
スピンドルモーター１５は、光ディスク２００を回転駆動するモーターであり、モーター駆動回路１６は、スピンドルモーター１５を回転駆動するための回路である。モーター制御回路１７は、ＷＢＬ検出部４から受信したＷＢＬ信号に基づくウォブリング周波数の情報を用いて、ＣＤ規格による線速度一定方式にてスピンドルモーター１５の回転駆動制御を行うための回路である。あるいは、スピンドルモーター１５の回転に応じて発生するパルス信号を用いて、角速度一定方式にてスピンドルモーター１５の回転駆動制御を行ってもよい。
【００６８】
＜高密度記録モードのデータ構造＞
光ディスク装置１００が、ＣＤ−ＲやＣＤ−ＲＷなどのＣＤ規格媒体である光ディスク２００に対して、記録・再生処理に採用する論理フォーマットとしての高密度記録モードについて詳細に説明する。
まず、図２を用いて、標準記録モードにおけるデータ構造と、高密度記録モードにおけるデータ構造の差異について説明する。
【００６９】
図２（Ａ）は、標準記録モードの場合のデータ構造である。ＣＤ規格媒体に対して記録されるデータの最小単位は、ＣＤ規格のＥＦＭ（Ｅｉｇｈｔ  ｔｏ  Ｆｏｕｒｔｅｅｎ  Ｍｏｄｕｌａｔｉｏｎ）変調方式に基づいた１ＥＦＭフレームとなる。そして、９８ＥＦＭフレームにて５８８ビットの１フレームが構成される。また、この１フレームによって、”Ｐ，Ｑ，Ｒ，…，Ｗ”からなるサブコードデータ（トラック番号、インデックス情報、絶対・相対アドレス等を含む）が生成される。
【００７０】
また、ＣＤ規格媒体の内周部のトラックから外周部のトラックに向かって、トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（ｍｉｎｕｔｅ）」を示し、続く８ビットは「秒（ｓｅｃｏｎｄ）」を示し、下位８ビットは「フレーム」を示す。なお、「分」、「秒」、「フレーム」の各データは、２進化１０進数（ＢＣＤ；Ｂｉｎａｒｙ  Ｃｏｄｅｄ  Ｄｅｃｉｍａｌ）にて表現される。
【００７１】
また、１秒間あたりのフレーム数は”７５”（００フレーム〜７４フレーム）である。ここで、”１／７５”秒間に相当するＡＴＩＰアドレスによって設定される記録領域（以下、１ＡＴＩＰ区間と称する。）は、光ディスク装置１００において記録・再生単位として扱う１セクタとなる。この１セクタ分の記録領域（『第１の記録領域』）は、通常２ｋバイトで構成され、前述したようにシンクパターン、識別子、ウォブリング情報、ＣＲＣデータなどが記録される。
【００７２】
一方、図２（Ｂ）は、高密度記録モードの場合のデータ構造である。この高密度記録モードでは、例えば、標準記録モードに対して２．０倍の記録密度を実現する。この場合、１ＡＴＩＰ区間では、２セクタ分、すなわち４ｋバイトのデータが記録される。なお、この場合の１セクタ分の記録領域（『第２の記録領域』）には、ＰＳＮアドレスに対応づけられるＩＤ情報や、記録する実データ、ＩＤ情報及び実データを検査するためのパリティビット等が記録される。
【００７３】
また、前述したとおり、高密度記録モードでは、ＤＶＤ規格に準拠した変調・復調方式を採用しているため、光ディスク装置１００において記録・再生単位としては、１ＥＣＣ（Ｅｒｒｏｒ  Ｃｏｒｒｅｃｔｉｏｎ  Ｃｏｄｅ）ブロックが採用される。なお、この１ＥＣＣブロック分のデータは、８ＡＴＩＰ区間に相当する記録領域に記録されるものとする。すなわち、１ＥＣＣブロックには、１６セクタ分（３２ｋバイト）のデータが記録されることになる。
【００７４】
＜ＡＴＩＰアドレスとＰＳＮアドレスの関係＞
＝＝＝物理フォーマット＝＝＝
高密度記録モードにて採用する光ディスク２００の物理フォーマットについて説明する。
光ディスク２００の物理フォーマットは、例えば、図３上段部に示すような構成となる。同図に示すように、光ディスク２００の内周側から外周側に対して、フォーマットエリア、ＰＣＡ（Ｐｏｗｅｒ  Ｃａｌｉｂｒａｔｉｏｎ  Ａｒｅａ）、ＰＭＡ（Ｐｒｏｇｒａｍ  Ｍｅｍｏｒｙ  Ａｒｅａ）、ＴＯＣ（Ｔａｂｌｅ  Ｏｆ  Ｃｏｎｔｅｎｔｓ）エリア、プログラムエリア及びリードアウトエリアが設けられている。
【００７５】
フォーマットエリアは、高密度記録モードにおいて光ディスク２００のフォーマット処理が実行された場合に、所定のデータ（例えば、オール”０”）が記録される。ＰＣＡは、レーザー素子１ａの記録パワーの設定制御として試し書きを行うためのテストエリアと、試し書きされたテストエリア内のアドレスや試し書き回数を記憶するためのカウンタエリアが設けられる。
【００７６】
ＰＭＡは、トラックへの記録毎に、記録モードの情報や記録開始及び終了時間情報などを一時的に記録するための領域として使用される。また、予定された全てのトラックが記録された後、ＰＭＡに記録された情報に基づいて生成されたＴＯＣ情報が、ＴＯＣエリアに記録される。
【００７７】
プログラムエリアは、ユーザー使用可能領域として、実データの記録及び再生のための領域である。リードアウトエリアは、光ディスク２００の記録及び再生の終了位置を識別するための領域である。
【００７８】
以上の構成により、高密度記録モードにて採用する物理フォーマットは、既存のＣＤ規格に準拠した物理フォーマットと比較すると、プリギャップエリアなどが省略されており、高密度な記録が可能となる。
【００７９】
＝＝＝  ＡＴＩＰアドレス  ＝＝＝
ＡＴＩＰアドレスについて詳細に説明する。
図３中段部は、光ディスク装置１００が、光ディスク２００のプリグルーブの物理的なウォブリング情報をデコードして得られるＡＴＩＰアドレスの設定情報を示している。このＡＴＩＰアドレスは、光ディスク２００のトラックに付与された物理アドレスとしての一面と、光ディスク装置１００が光ディスク２００への記録又は再生の制御するために用いる論理アドレスとしての一面がある。
【００８０】
プログラムエリアの最内周側に相当するＡＴＩＰアドレス（以下、第１の基準ＡＴＩＰアドレスと称する。）は、”００（分）：００（秒）：００（フレーム）”である。そして、このプログラムエリアの最内周側から外周側に向かっての記録領域（以下、外周側記録領域と称する。）では、”１秒間＝７５フレーム”の換算にて、第１の基準ＡＴＩＰアドレスを１フレーム単位で単純増加していったＡＴＩＰアドレスが付与される。なお、本発明では、外周側記録領域におけるＡＴＩＰアドレスの最大値を”８９（分）：５９（秒）：７４（フレーム）”としている。
【００８１】
一方、第１の基準ＡＴＩＰアドレスより内周側の記録領域（以下、内周側記録領域と称する。）は、ＰＣＡやＰＭＡなどのユーザーが使用不可能な予約領域である。この内周側記録領域にもＡＴＩＰアドレスが付与されている。本発明では、例えば、内周側記録領域におけるＡＴＩＰアドレスの最小値（以下、第２の基準ＡＴＩＰアドレスと称する。）を、”９０（分）：００（秒）：００（フレーム）”としている。そして、内周側記録領域では、外周側記録領域と同様に、”１秒間＝７５フレーム”の換算にて、第２の基準ＡＴＩＰアドレスを１フレーム単位で単純増加していったＡＴＩＰアドレスが付与される。
【００８２】
＝＝＝  ＰＳＮアドレス  ＝＝＝
ＰＳＮアドレスについて詳細に説明する。
図３下段部は、光ディスク装置１００が、光ディスク２００への記録又は再生を高密度記録モードにて行う場合に、論理アドレスとして用いるＰＳＮアドレスの設定情報を示している。
【００８３】
ここで、ＰＳＮアドレスとは、当該ＡＴＩＰアドレスとしての絶対アドレスを”ｘ”とする場合に、”ｙ＝ｎ×（ｘ−ｍ）＋ｍ”によって算出される高密度記録用アドレス（ｙ）を示す。ここで、”ｎ”は記録密度についての倍率（標準記録モードの倍率を１とする）であり、２．０倍の記録密度であれば”ｎ＝２．０”である。また、”ｍ”は基準アドレスである。
【００８４】
すなわち、ＰＳＮアドレスは、絶対アドレス”ｘ”に基づいた単位時間（”１／７５”秒間）に相当する記録領域（１ＡＴＩＰ区間）を、記録密度についての倍率（ｎ）によって区分するという高密度記録モードの論理フォーマットに従って、１ＡＴＩＰ区間の論理的な区分領域（『第２の記録領域』）に付与されることになる。このＰＳＮアドレスを用いた高密度記録モードによる記録によって、１ＡＴＩＰ区間にはｎ倍のデータが記録され、その結果、光ディスク２００の記録密度はｎ倍となる。
【００８５】
なお、本発明では、記録密度の倍率（ｎ）を”２”とし、プログラムエリアの最内周側のＰＳＮアドレス（ｍ）を”３００００Ｈ（Ｈｅｘａｄｅｃｉｍａｌ  ：１６進）”とする。この場合、外周側記録領域のＡＴＩＰアドレスに対応づけられるＰＳＮアドレス（ｙ）は、”ｙ＝２×（ｘ（１６進）−３００００Ｈ）＋３００００Ｈ”として算出される。例えば、”００（分）：００（秒）：０１（フレーム）”のＡＴＩＰアドレスに対応するＰＳＮアドレスは、”３０００２Ｈ＝２×（３０００１Ｈ−３００００Ｈ）＋３００００Ｈ”である。
【００８６】
このように、ＡＴＩＰアドレスとＰＳＮアドレスは、相互に対応づけられている。また、このことは、光ディスク装置１００が、高密度記録モードによる光ディスク２００への記録又は再生において、ＰＳＮアドレスだけでなく、ＡＴＩＰアドレスを用いることが可能であることを意味する。
【００８７】
＝＝＝  ＡＴＩＰアドレスからＰＳＮアドレスへの変換  ＝＝＝
図４は、デコーダ５ａ及びＰＳＮデコーダ６において、ＡＴＩＰアドレスからＰＳＮアドレスへの変換処理を説明するためのフローチャートである。なお、以下に説明する処理は、ＡＴＩＰ−ＰＳＮ変換部１２ａにて実行されるものとする。
【００８８】
まず、ＡＴＩＰ−ＰＳＮ変換部１２ａは、ＡＴＩＰデコーダ５のデコーダ５ａにてデコードした第１のＡＴＩＰアドレスを取得し、”分”情報に関する変換変数Ａ、”秒”情報に関する変換変数Ｂ、”フレーム”情報に関する変換変数Ｃに対して、それぞれの情報をセットする（Ｓ４００）。そして、変換変数（Ａ，Ｂ，Ｃ）のセット値に基づいて、総フレーム数ＴＦ（＝（６０Ａ＋Ｂ）×７５＋Ｃ）を計算する（Ｓ４０１）。
【００８９】
ここで、変換変数Ａのセット値が、外周側記録領域に付与されたＡＴＩＰアドレスの”分”情報であるか否かを、”０（分）≦Ａ＜９０（分）”の条件式に基づいて判定する（Ｓ４０２）。変換変数Ａのセット値が、前述の条件式に適合すれば（Ｓ４０２：ＹＥＳ）、Ｓ４０１にて計算した総フレーム数ＴＦに記録密度の倍率（ｎ）である”２”を乗算しさらに１６進数に変換した値に対し、第１の基準ＡＴＩＰアドレス”３００００Ｈ”を加算することで、第２のＰＳＮアドレスが求められる。すなわち、外周側記録領域における第１のＡＴＩＰアドレスは、”（ＴＦ×２）（Ｈ）＋３００００Ｈ”の換算式にて、第２のＰＳＮアドレスに変換することができる（Ｓ４０３）。
【００９０】
一方、変換変数Ａのセット値が、前述の条件式に不適合であれば（Ｓ４０２：ＮＯ）、第２の基準ＡＴＩＰアドレス”９０（分）：００（秒）：００（フレーム）”の総フレーム数ＭＩＮ＿ＴＦと、Ｓ４０１にて計算した総フレーム数ＴＦとの差分に相当するＰＳＮアドレス数（以下、差分ＰＳＮアドレスと称する。）を計算する。この差分ＰＳＮアドレスは、”（ＴＦ−ＭＩＮ＿ＴＦ）×２”の結果を１６進数に変換することで計算される（Ｓ４０４）。そして、第２の基準ＡＴＩＰアドレス”９０（分）：００（秒）：００（フレーム）”に相当する１６進数のＰＳＮアドレスと、Ｓ４０４にて計算した差分ＰＳＮアドレスとを加算することで、第２のＰＳＮアドレスが求められる（Ｓ４０５）。
【００９１】
このようにして、ＡＴＩＰ−ＰＳＮ変換部１２ａにおいて、第１のＡＴＩＰアドレスから第２のＰＳＮアドレスに変換されることになる。なお、以上説明したＳ４０１の処理は、Ｓ４０２の後に実行してもよい。また、第２の基準ＡＴＩＰアドレスの総フレーム数ＭＩＮ＿ＴＦは、Ｓ４０４にて計算してもよいし、予めＲＡＭ１１などのシステム制御マイコン１２がアクセス可能なメモリに記憶しておいてもよい。
【００９２】
なお、ＰＳＮデコーダ６にて実行される変換処理は、ＡＴＩＰデコーダ５にてデコードされたＡＴＩＰアドレスからＰＳＮアドレスに変換する場合に、前述したＡＴＩＰ−ＰＳＮ変換部１２ａの処理内容と同様なものとなる。
【００９３】
＝＝＝  ＰＳＮアドレスからＡＴＩＰアドレスへの変換  ＝＝＝
図５は、ＰＳＮ−ＡＴＩＰ変換部１２ｃにおいて、ＰＳＮアドレスからＡＴＩＰアドレスへの変換処理を説明するためのフローチャートである。
まず、ＰＳＮ−ＡＴＩＰ変換部１２ｃは、ＰＳＮデコーダ６にてデコードした第１のＰＳＮアドレスを取得する（Ｓ５００）。そして、取得した第１のＰＳＮアドレスが、外周側記録領域に付与されるＰＳＮアドレスであるか否かを、”３００００Ｈ≦第１のＰＳＮアドレス＜第２の基準ＡＴＩＰアドレス（９０（分）：００（秒）：００（フレーム））に相当するＰＳＮアドレス”の条件式に基づいて判定する（Ｓ５０１）。
【００９４】
取得した第１のＰＳＮアドレスが、前述の条件式に適合すれば（Ｓ５０１：ＹＥＳ）、取得した第１のＰＳＮアドレスから”３００００Ｈ”を減算した値を記録密度の倍率（ｎ）である”２”で割り算する。そして、この割り算の結果に対して、”１秒間＝７５フレーム”の換算にて、第２のＡＴＩＰアドレスに変換する（Ｓ５０２）。
【００９５】
一方、取得した第１のＰＳＮアドレスが、前述の条件式に適合しなければ（Ｓ５０１：ＮＯ）、この取得した第１のＰＳＮアドレスと第２の基準ＡＴＩＰアドレス（９０（分）：００（秒）：００（フレーム））の総フレーム数ＭＩＮ＿ＴＦとの差分を記録密度の倍率（ｎ）である”２”で割り算する（Ｓ５０３）。この割り算の結果と第２の基準ＡＴＩＰアドレスを加算することで、第２のＡＴＩＰアドレスが求められる（Ｓ５０４）。
【００９６】
なお、第２の基準ＡＴＩＰアドレスの総フレーム数ＭＩＮ＿ＴＦは、Ｓ５０３にて計算してもよいし、予めＲＡＭ１１などのシステム制御マイコン１２がアクセス可能なメモリに記憶しておいてもよい。
【００９７】
＜システム制御マイコンの動作＞
以下では、本発明において特徴的な処理を担当するシステム制御マイコン１２の動作について説明する。なお、以下の説明では、光ディスク２００はＰＳＮアドレスを用いて高密度記録されており、光ディスク２００の当該記録セクタにはＰＳＮアドレスに対応づけられたＩＤ情報がデータと併せて記録されているものとする。
【００９８】
＝＝＝  ＰＳＮアドレスによるアクセス  ＝＝＝
図６は、システム制御マイコン１２が、ＰＳＮアドレスを用いて光ディスク２００への記録又は再生を制御する動作を説明するためのフローチャートである。なお、以下に説明する動作は、特に断らない限り、システム制御マイコン１２にて実行されるものとする。
【００９９】
まず、システム制御マイコン１２は、１ＡＴＩＰ区間ごとに実行されるＡＴＩＰデコーダ５への割り込みによって、デコーダ５ａによってデコードした第１のＡＴＩＰアドレスと、ＣＲＣチェック回路５ｂにおけるＣＲＣチェック結果の情報を取得する。併せて、ＰＳＮデコーダ６への割り込みも行い、当該ＰＳＮデコーダ６にてデコードした第１のＰＳＮアドレスも取得する（Ｓ６００）。
【０１００】
つぎに、ＡＴＩＰ−ＰＳＮ変換部１２ａにおいて、Ｓ６００にて取得した第１のＡＴＩＰアドレスから第２のＰＳＮアドレスへの変換が行われる（Ｓ６０１）。そして、ＰＳＮ補正部１２ｂにおいて、Ｓ６００にて取得したＣＲＣチェック結果の判定が行われる（Ｓ６０２）。
【０１０１】
ここで、ＰＳＮ補正部１２ｂは、ＣＲＣチェック結果が、ＡＴＩＰデコーダ５におけるデコード処理が正常に行われたことを示す場合に（Ｓ６０２：ＯＫ）、Ｓ６００にて取得した第１のＰＳＮアドレスと、Ｓ６０１の変換によって得られた第２のＰＳＮアドレスと、が一致するか否かを比較する（Ｓ６０３）。
【０１０２】
Ｓ６０３での比較の結果が一致の場合（Ｓ６０３：ＹＥＳ）、ＰＳＮ補正部１２ｂは、Ｓ６００にて取得した第１のＰＳＮアドレスを正常と見なして選択し、この選択した第１のＰＳＮアドレスをアクセス制御部１２ｅに送信する。アクセス制御部１２ｅは、受信した第１のＰＳＮアドレスに基づいて、記録・再生対象となる記録領域の位置情報としてのＰＳＮアドレスに更新する（Ｓ６０４）。
【０１０３】
すなわち、アクセス制御部１２ｅは、Ｓ６０３での比較の結果が一致の場合（Ｓ６０３：ＹＥＳ）、ＡＴＩＰデコーダ５におけるデコード処理が正常であるという前提のもとに、ＰＳＮデコーダ６におけるデコード処理が正常と見なし、ＰＳＮデコーダ６においてデコードした第１のＰＳＮアドレスを光ディスク２００へのアクセスに用いることになる。
【０１０４】
一方、Ｓ６０３での比較の結果が不一致であった場合は、ＰＳＮ補正部１２ｂは、Ｓ６００にて取得した第１のＰＳＮアドレスが不正なデータと見なす。そして、Ｓ６０１の変換によって得られた第２のＰＳＮアドレスを選択し、この選択した第２のＰＳＮアドレスをアクセス制御部１２ｅに送信する。アクセス制御部１２ｅは、受信した第２のＰＳＮアドレスに基づいて、記録・再生対象となる記録領域の位置情報としてのＰＳＮアドレスに更新する（Ｓ６０５）。
【０１０５】
すなわち、アクセス制御部１２ｅは、Ｓ６０３での比較の結果が不一致の場合（Ｓ６０３：ＮＯ）、ＡＴＩＰデコーダ５におけるデコード処理は正常であるという前提のもとに、ＰＳＮデコーダ６におけるデコード処理は正常に行われなかったものと見なし、ＡＴＩＰデコーダ５にてデコードした第１のＡＴＩＰアドレスに基づいてＡＴＩＰ−ＰＳＮ変換部１２ａにおいて変換した第２のＰＳＮアドレスを光ディスク２００へのアクセスに用いることになる。
【０１０６】
ところで、Ｓ６０２において、ＣＲＣチェック結果の情報が、ＡＴＩＰデコーダ５におけるデコード処理が正常でなかったことを示す場合（Ｓ６０２：ＮＧ）、光ディスク２００へのアクセス状態が、トレース状態にあるか否か判定する（Ｓ６０６）。なお、トレース状態とは、光ディスク２００において連続的な記録領域（１フレーム）に対して、所定順に記録又は再生を行う動作状態を示す。光ディスク装置１００は、光ディスク２００から１ＡＴＩＰ区間ごとにウォブリング情報を読み出すため、トレース状態では、ＰＳＮアドレスを”２Ｈ”単位でインクリメントさせていった値が順に用いられる。
【０１０７】
そこで、光ディスク２００へのアクセスがトレース状態であれば（Ｓ６０３：ＹＥＳ）、アクセス制御部１２ｅは、前回の記録領域への記録又は再生用として用いられた第１のＰＳＮアドレス又は第２のＰＳＮアドレスを記憶しておき、その記憶しておいた第１のＰＳＮアドレス又は第２のＰＳＮアドレスに対して”２Ｈ”を加算することで、今回の記録領域への記録又は再生用として用いるＰＳＮアドレスを生成してもよい（Ｓ６０７）。
このようにすれば、前回の記録領域への記録又は再生用として用いられた第１のＰＳＮアドレス又は第２のＰＳＮアドレスの有効利用が図られ、光ディスク２００へのアクセスを一時停止する等といった、ＣＲＣチェック結果が正常でなかった場合の処理を実行する必要がなくなる。
【０１０８】
一方、光ディスクへのアクセス状態が、トレース状態ではなく、例えば、ランダムシーク等のように記録領域（１フレーム）へのアクセス順序が不連続であれば（Ｓ６０３：ＮＯ）、Ｓ６００にて取得した第１のＰＳＮアドレス又Ｓ６０１の変換によって得られた第２のＰＳＮアドレスを未使用状態として、ＰＳＮアドレスの更新を行わないこととする（Ｓ６０８）。この場合、光ディスク２００へのアクセスを一時停止するか、ＣＲＣチェック結果が正常となるまで前述した一連の処理（Ｓ６００〜Ｓ６０２）を所定回数まで実行可能なリトライ処理を行ってもよい。
【０１０９】
このようにして、本発明に係る光ディスク装置１００は、ＣＤ−ＲやＣＤ−ＲＷなどのＣＤ規格媒体である光ディスク２００への記録又は再生において、ＣＲＣチェック回路６ｂにおけるＡＴＩＰアドレスが正常にデコードしたか否かを判別するためのＣＲＣチェック結果に基づいて、第１のＰＳＮアドレス又は、第１のＡＴＩＰアドレスに基づいて変換した第２のＰＳＮアドレスのうち、正常にデコードした一方のＰＳＮアドレスを用いることが可能である。
【０１１０】
ところで、光ディスク２００上にある埃・塵や、傷・ディスクの偏芯などといった光ディスク２００自体が有する欠陥によって、光ディスク２００から光学的な情報の読み出しが正常に行われず、ＡＴＩＰデコーダ５におけるデコード処理又はＰＳＮデコーダ６におけるデコード処理が正常に行われない場合がある。    この場合に、本発明に係る光ディスク装置１００は、正常にデコードしなかった第１のＡＴＩＰアドレスに基づいた不正な第１のＰＳＮアドレスを用いて、光ディスク２００をアクセスする機会が減少することになり、アクセス誤動作の抑制を可能とする。また、このことによって、光ディスク装置１００としての信頼性が向上する。
【０１１１】
また、従来の光ディスク装置１００は、光ディスク２００から読み出されたウォブリング情報に基づいてデコードしたＡＴＩＰアドレスを、あくまで、ＰＳＮアドレスをデコードする目的で利用する。一方、本発明に係る光ディスク装置１００は、前述したアクセス誤動作を抑制する目的等で、ＡＴＩＰアドレスの有効利用を図ることが可能となる。
【０１１２】
＜ＡＴＩＰによるアクセス＞
前述した実施形態において、光ディスク装置１００は、ＣＤ−ＲやＣＤ−ＲＷなどのＣＤ規格媒体である光ディスク２００への記録又は再生において、ＰＳＮデコーダ６におけるＰＳＮアドレスが正常にデコードしたか否かを判別するためのパリティチェック結果に基づいて、第１のＡＴＩＰアドレス又は第１のＰＳＮアドレスに基づいて変換した第２のＡＴＩＰアドレスのうち、正常に生成された一方を用いてもよい。
図７は、前述した場合について、システム制御マイコン１２が、ＡＴＩＰアドレスを用いて光ディスク２００への記録又は再生を制御する動作を説明するためのフローチャートである。
【０１１３】
まず、システム制御マイコン１２は、１ＡＴＩＰ区間ごとに実行されるＡＴＩＰデコーダ５への割り込みによって、デコーダ５ａによってデコードした第１のＡＴＩＰアドレスを取得する。併せて、ＰＳＮデコーダ６への割り込みも行い、当該ＰＳＮデコーダ６にてＩＤ情報からデコードした第１のＰＳＮアドレス及びＩＤ情報を含めたデータのパリティチェック結果の情報も取得する（Ｓ７００）。
【０１１４】
つぎに、ＰＳＮ−ＡＴＩＰ変換部１２ｃにおいて、Ｓ７００にて取得した第１のＰＳＮアドレスから第２のＡＴＩＰアドレスへの変換が行われる（Ｓ７０１）。そして、ＡＴＩＰ補正部１２ｄにおいて、Ｓ７００にて取得したパリティチェック結果の判定が行われる（Ｓ７０２）。
【０１１５】
ここで、ＡＴＩＰ補正部１２ｄは、パリティチェック結果が、ＰＳＮデコーダ６におけるデコード処理が正常に行われたことを示す場合に（Ｓ７０２：ＯＫ）、Ｓ７００にて取得した第１のＡＴＩＰアドレスと、Ｓ７０１の変換によって得られた第２のＡＴＩＰアドレスと、が一致するか否かを比較する（Ｓ７０３）。
【０１１６】
Ｓ７０３での比較の結果が一致の場合（Ｓ７０３：ＹＥＳ）、ＡＴＩＰ補正部１２ｄは、Ｓ７００にて取得した第１のＡＴＩＰアドレスを正常と見なして選択し、この選択した第１のＡＴＩＰアドレスをアクセス制御部１２ｅに送信する。アクセス制御部１２ｅは、受信した第１のＡＴＩＰアドレスに基づいて、記録・再生対象の当該記録領域の位置情報としてのＡＴＩＰアドレスに更新する（Ｓ７０４）。
【０１１７】
すなわち、アクセス制御部１２ｅは、Ｓ７０３での比較の結果が一致の場合（Ｓ７０３：ＹＥＳ）、ＰＳＮデコーダ６におけるデコード処理が正常であるという前提のもとに、ＡＴＩＰデコーダ５におけるデコード処理が正常と見なし、ＡＴＩＰデコーダ５にてデコードした第１のＡＴＩＰアドレスを光ディスク２００へのアクセスに用いる。
【０１１８】
一方、Ｓ７０３での比較の結果が不一致であった場合は、ＡＴＩＰ補正部１２ｄは、ＰＳＮデコーダ６におけるデコード処理が正常であるという前提のもとに、Ｓ７００にて取得した第１のＡＴＩＰアドレスが不正なデータと見なす。そして、Ｓ７０１の変換によって得られた第２のＡＴＩＰアドレスを選択し、この選択した第２のＡＴＩＰアドレスをアクセス制御部１２ｅに送信する。アクセス制御部１２ｅは、受信した第２のＡＴＩＰアドレスに基づいて、記録・再生対象の当該記録領域の位置情報としてのＡＴＩＰアドレスに更新する（Ｓ７０５）。
【０１１９】
すなわち、アクセス制御部１２ｅは、Ｓ７０３での比較の結果が不一致の場合（Ｓ７０３：ＮＯ）、ＰＳＮデコーダ６におけるデコード処理は正常であるという前提のもとに、ＡＴＩＰデコーダ５におけるデコード処理は正常に行われなかったものと見なし、ＰＳＮデコーダ６にてデコードした第１のＰＳＮアドレスに基づいてＰＳＮ−ＡＴＩＰ変換部１２ｃにおいて変換した第２のＡＴＩＰアドレスを光ディスク２００へのアクセスに用いる。
【０１２０】
ところで、Ｓ７０２において、パリティチェック結果の情報が、ＰＳＮデコーダ６におけるデコード処理が正常でなかったことを示す場合に（Ｓ７０２：ＮＧ）、光ディスク２００へのアクセス状態が、トレース状態にあるか否か判定する（Ｓ７０６）。そこで、光ディスク２００へのアクセスがトレース状態であれば（Ｓ６０３：ＹＥＳ）、アクセス制御部１２ｅは、前回の記録領域への記録又は再生用として用いられた第１のＡＴＩＰアドレス又は第２のＡＴＩＰアドレスを記憶しておき、その記憶しておいた第１のＡＴＩＰアドレス又は第２のＡＴＩＰアドレスに対して”１フレーム”を加算することで、今回の記録領域への記録又は再生用として用いるＡＴＩＰアドレスを生成してもよい（Ｓ７０７）。
【０１２１】
このようにして、本発明に係る光ディスク装置１００は、正常にデコードしなかった第１のＰＳＮアドレスに基づいた不正な第２のＡＴＩＰアドレスを用いて、光ディスク２００をアクセスする機会が減少することになり、アクセス誤動作の抑制が可能となる。また、このことによって、光ディスク装置１００としての信頼性が向上する。さらに、光ディスク装置１００は、前述したアクセス誤動作を抑制する目的等で、ＡＴＩＰアドレスの有効利用を図ることができる。
【０１２２】
＝＝＝  その他の実施形態  ＝＝＝
以上、本発明の実施形態について、その実施形態に基づき具体的に説明したが、これに限定されるものではなく、その要旨を逸脱しない範囲で種々変更可能である。
【０１２３】
例えば、前述の実施形態において、ＰＳＮ補正部１２ｂは、ＰＳＮデコーダ６におけるパリティチェック結果に基づいて、ＰＳＮデコーダ６にてデコードした第１のＰＳＮアドレスと、ＡＴＩＰ−ＰＳＮ変換部１２ａにて変換された第２のＰＳＮアドレスの一方を選択してもよい。
このことによって、ＰＳＮアドレスを用いて光ディスク２００への記録・再生を行う場合に、ＰＳＮデコーダ６におけるデコード処理が正常に行われなかった際には、ＡＴＩＰデコーダ５にてデコードした第１のＡＴＩＰアドレスをもとに、ＡＴＩＰ−ＰＳＮ変換部１２ａにて変換した第２のＰＳＮアドレスを用いることができる。このため、光ディスク装置１００としての信頼性が向上する。
【０１２４】
また、前述の実施形態において、ＡＴＩＰ補正部１２ｄは、ＣＲＣチェック回路５ｂにおけるＣＲＣチェック結果に基づいて、ＡＴＩＰデコーダ５にてデコードした第１のＡＴＩＰアドレスと、ＰＳＮ−ＡＴＩＰ変換部１２ｃにて変換された第２のＡＴＩＰアドレスの一方を選択してもよい。
このことによって、ＡＴＩＰアドレスを用いて光ディスク２００への記録・再生を行う場合に、ＡＴＩＰデコーダ６におけるデコード処理が正常に行われなかった際には、ＰＳＮデコーダ６にてデコードした第１のＰＳＮアドレスをもとに、ＰＳＮ−ＡＴＩＰ変換部１２ｄにて変換した第２のＡＴＩＰアドレスを用いることができる。このため、光ディスク装置１００としての信頼性が向上する。
【０１２５】
【発明の効果】
本発明によれば、光ディスク装置を提供することができる。
【図面の簡単な説明】
【図１】本発明の一実施形態に係る光ディスク装置を含めたシステムの概略構成図である。
【図２】標準記録モード時及び高密度記録モード時に採用される論理フォーマットを説明する図である。
【図３】光ディスクの物理フォーマットと、ＡＴＩＰアドレス及びＰＳＮアドレスの関係を説明する図である。
【図４】本発明の一実施形態に係る光ディスク装置が、ＡＴＩＰアドレスからＰＳＮアドレスへ変換する処理フローを説明するためのフローチャートである。
【図５】本発明の一実施形態に係る光ディスク装置が、ＰＳＮアドレスからＡＴＩＰアドレスへ変換する処理フローを説明するためのフローチャートである。
【図６】本発明の一実施形態に係る光ディスク装置が、ＰＳＮアドレスを用いて記録又は再生を行う処理フローを説明するためのフローチャートである。
【図７】本発明の一実施形態に係る光ディスク装置が、ＡＴＩＰアドレスを用いて記録又は再生を行う処理フローを説明するためのフローチャートである。
【符号の説明】
１  光学ヘッド
１ａ  レーザー素子
２  フロントエンド処理部
３  光学ヘッドサーボ回路
４  ＷＢＬ検出部
５  ＡＴＩＰデコーダ
５ａ  デコーダ  ５ｂ  ＣＲＣチェック回路
６  ＰＳＮデコーダ
７  ＰＬＬ
８  高密度記録モード用デコーダ
９  高密度記録モード用エンコーダ
１０  インタフェース部
１１  ＲＡＭ
１２  システム制御マイコン
１２ａ  ＡＴＩＰ−ＰＳＮ変換部  １２ｂ  ＰＳＮ補正部
１２ｃ  ＰＳＮ−ＡＴＩＰ変換部  １２ｄ  ＡＴＩＰ補正部
１２ｅ  アクセス制御部
１３  レーザー出力制御部
１４  レーザー駆動回路
１５  スピンドルモーター
１６  モーター駆動回路
１７  モーター制御回路
【図１】
2004253039.tif 000003
【図２】
2004253039.tif 000004
【図３】
2004253039.tif 000005
【図４】
2004253039.tif 000006
【図５】
2004253039.tif 000007
【図６】
2004253039.tif 000008
【図７】
2004253039.tif 000009